(57)【要約】【課題】浴室ドアが折れ戸または引き戸であった場合でも、浴室利用後の使用者が浴室内からタオルを取ることができるタオルハンガー付き建具を提供する。【解決手段】タオルハンガー付き建具は、折れ戸または引き戸である浴室ドアと、浴室ドアにおける浴室外に配置されたタオルハンガーと、を備えている。タオルハンガーは、浴室ドアを支持するドア枠における上枠の浴室外側の面に接続された接続部と、接続部より下方に形成されたタオル保持部と、を有する。タオル保持部は、浴室ドアの上端よりも下方に位置するように形成されている。【選択図】図１
2020110346.tif 000002
【特許請求の範囲】
【請求項１】
折れ戸または引き戸である浴室ドアと、
前記浴室ドアにおける浴室外に配置されたタオルハンガーと、
を備え、
前記タオルハンガーは、
前記浴室ドアを支持するドア枠における上枠の浴室外側の面に接続された接続部と、
前記接続部より下方に形成されたタオル保持部と、
を有し、
前記タオル保持部は、前記浴室ドアの上端よりも下方に位置するように形成されていることを特徴とするタオルハンガー付き建具。
【請求項２】
前記接続部は、前記ドア枠における前記上枠の浴室外側の面に接続される第１アーム部と、前記タオル保持部と接続される第２アーム部と、を有し、
前記第１アーム部の上下方向の高さは、前記第２アーム部の上下方向の高さより小さく、
前記第１アーム部の前後方向の長さは、前記第２アーム部の前後方向の長さより大きいことを特徴とする請求項１記載のタオルハンガー付き建具。
【請求項３】
前記接続部は、前記ドア枠における前記上枠の浴室外側の面に接続される第１アーム部と、前記タオル保持部と接続される第２アーム部と、を有し、
前記第１アーム部の前方から下方へ傾斜する角度は、前記第２アーム部の前方から下方へ傾斜する角度より小さいことを特徴とする請求項１記載のタオルハンガー付き建具。
【請求項４】
前記第１アーム部は、前記浴室ドアの上端よりも上方に位置することを特徴とする請求項２または３に記載のタオルハンガー付き建具。
【請求項５】
前記ドア枠における前記上枠の浴室外側の面には、浴室内と繋がる通気通路が設けられた通気口が形成されており、
前記タオルハンガーの前記接続部の基端部は、前記通気口より下方の面に接続されていることを特徴とする請求項１〜４のいずれか１つに記載のタオルハンガー付き建具。
【発明の詳細な説明】
【技術分野】
【０００１】
本発明は、タオルハンガー付き建具に関する。
【背景技術】
【０００２】
浴室利用後の使用者が身体を拭くためのタオルを掛けるためのタオルハンガーは知られている。浴室利用後の使用者が身体を拭くためのタオルは、身体が濡れた使用者が浴室外の空間を濡らしてしまうことを防ぐために、浴室内から取れることが好ましい。したがって、このようなタオルハンガーにおいては、例えば、浴室ドアの浴室外側の面に設けられていることが一般的である。すなわち、使用者は、浴室利用後に、浴室ドアを開くことで、浴室ドアの浴室外側の面に設けられているタオルハンガーに掛けてあるタオルを取り、身体を拭くものである。
【先行技術文献】
【特許文献】
【０００３】
【特許文献１】特開２００５−２１１２２０号公報
【発明の概要】
【発明が解決しようとする課題】
【０００４】
しかしながら、浴室ドアが折れ戸または引き戸であった場合、浴室ドアの浴室外側の面は、ドアが開状態の際に隠れてしまうため、使用者は、浴室利用後に、タオルハンガーに掛けてあるタオルを取ることは困難である。
【０００５】
そこで、本発明は、浴室ドアが折れ戸または引き戸であった場合でも、浴室利用後の使用者が浴室内からタオルを取ることができるタオルハンガー付き建具を提供する。
【課題を解決するための手段】
【０００６】
第１の発明のタオルハンガー付き建具は、折れ戸または引き戸である浴室ドアと、前記浴室ドアにおける浴室外に配置されたタオルハンガーと、を備え、前記タオルハンガーは、前記浴室ドアを支持するドア枠における上枠の浴室外側の面に接続された接続部と、前記接続部より下方に形成されたタオル保持部と、を有し、前記タオル保持部は、前記浴室ドアの上端よりも下方に位置するように形成されていることを特徴とする。
第１の発明によれば、タオルハンガーは、浴室ドアの開閉に際して動かない部分であるドア枠における上枠の浴室外側の面に接続されている。タオルハンガーは、折れ戸または引き戸である浴室ドアが開状態で隠れない。そのため、浴室ドアが折れ戸または引き戸であった場合でも、使用者は、浴室利用後に浴室内から、タオルハンガーのタオル保持部に掛けてあるタオルを取ることができる。
第２の発明は、第１の発明において、前記接続部は、前記ドア枠における前記上枠の浴室外側の面に接続される第１アーム部と、前記タオル保持部と接続される第２アーム部と、を有し、前記第１アーム部の上下方向の高さは、前記第２アーム部の上下方向の高さより小さく、前記第１アーム部の前後方向の長さは、前記第２アーム部の前後方向の長さより大きいことを特徴とする。
第２の発明によれば、タオルハンガーが浴室ドアに接近しすぎずタオルハンガーが浴室ドアの開閉の阻害となってしまうことを抑制しつつ、タオル保持部の位置が高くなりすぎずに背の低い使用者にもタオルが取りやすい。
第３の発明は、第１の発明において、前記接続部は、前記ドア枠における前記上枠の浴室外側の面に接続される第１アーム部と、前記タオル保持部と接続される第２アーム部と、を有し、前記第１アーム部の前方から下方へ傾斜する角度は、前記第２アーム部の前方から下方へ傾斜する角度より小さいことを特徴とする。
第３の発明によれば、タオルハンガーが浴室ドアに接近しすぎずタオルハンガーが浴室ドアの開閉の阻害となってしまうことを抑制しつつ、タオル保持部の位置が高くなりすぎずに背の低い使用者にもタオルが取りやすい。
第４の発明は、第２または第３の発明において、前記第１アーム部は、前記浴室ドアの上端よりも上方に位置することを特徴とする。
第４の発明によれば、タオル保持部が浴室ドアに接近しすぎず、タオル保持部に掛けられたタオルが浴室ドアの開閉を阻害しない。
第５の発明は、第１〜第４の発明のいずれか１つにおいて、前記ドア枠における前記上枠の浴室外側の面には、浴室内と繋がる通気通路が設けられた通気口が形成されており、前記タオルハンガーの前記接続部の基端部は、前記通気口より下方の面に接続されていることを特徴とする。
第５の発明によれば、タオルハンガーに掛けられたタオルは通気口の浴室外側の面を覆わず、換気を阻害しない。
【発明の効果】
【０００７】
本発明によれば、浴室ドアが折れ戸または引き戸であった場合でも、浴室利用後の使用者が浴室内からタオルを取ることができるタオルハンガー付き建具を提供できる。
【図面の簡単な説明】
【０００８】
【図１】本発明の一実施形態のタオルハンガー付き建具の斜視図。
【図２】本発明の一実施形態のタオルハンガー付き建具の横断面図。
【図３】本発明の一実施形態のタオルハンガー付き建具の縦断面図。
【図４】図３における破線で囲んだＡ部の拡大図。
【発明を実施するための形態】
【０００９】
以下、添付図面を参照しながら本発明の実施の形態について説明する。説明の理解を容易にするため、各図面において同一の構成要素に対しては可能な限り同一の符号を付して、重複する説明は省略する。
【００１０】
図１は、本発明の一実施形態のタオルハンガー付き建具１の斜視図である。
【００１１】
タオルハンガー付き建具１は、浴室の内外（浴室と、例えば洗面室または脱衣室との間）を仕切る。図１は、浴室外からタオルハンガー付き建具１を見た斜視図である。
【００１２】
タオルハンガー付き建具１は、浴室ドア２０とタオルハンガー５０とを有する。浴室ドア２０の上方、左方、および右方には建材側の部材である接続枠７０が設けられている。浴室ドア２０と接続枠７０との間には、浴室ドア２０を支持するドア枠１０が設けられている。ドア枠１０は、浴室ドア２０の上方に設けられた上枠１１を有する。
【００１３】
浴室ドア２０は、折れ戸または引き戸である。図１には、折れ戸である浴室ドア２０を示す。浴室ドア２０は、２枚の障子２１ａ、２１ｂと、２枚の障子２１ａ、２１ｂを接続するヒンジ部２２と、一方の障子２１ａに設けられた開放側端部２３と、他方の障子２１ｂに設けられた軸支部２４（図２に示す）とを有する。軸支部２４を支点にして、ヒンジ部２２が浴室内に入り込むように２枚の障子２１ａ、２１ｂが折れることで浴室ドア２０が開かれる。開放側端部２３が設けられた障子２１ａにおける浴室外側の面には取っ手２５が設けられている。
【００１４】
または、浴室ドア２０は、障子が水平方向に移動することで開閉される引き戸であってもよい。
【００１５】
タオルハンガー５０は、浴室ドア２０における浴室外に配置されている。
【００１６】
図２は、タオルハンガー付き建具１の水平方向に沿った横断面図である。図２において、折れ戸である浴室ドア２０が少し開いた状態の位置を模式的に２点鎖線で表している。
図３は、タオルハンガー付き建具１の鉛直方向に沿った縦断面図である。
図４は、図３における破線で囲んだＡ部の拡大図である。
【００１７】
タオルハンガー５０は、接続部３０と、タオル保持部４０とを有する。接続部３０は、浴室ドア２０を支持するドア枠における上枠１１の浴室外側の面に接続されている。タオル保持部４０は、接続部３０より下方に形成されている。タオル保持部４０は、浴室ドア２０の上端よりも下方に位置するように形成されている。図４において、浴室ドア２０の上端の高さを２点鎖線で表す。
【００１８】
接続部３０は、第１アーム部３１と、第２アーム部３２とを有する。第１アーム部３１と第２アーム部３２とは、例えば一体に設けられている。図１および図２に示すように、一対の接続部３０が水平方向に離間して設けられている。一対の接続部３０のそれぞれが、第１アーム部３１と第２アーム部３２とを有する。
【００１９】
第１アーム部３１は、ドア枠における上枠１１の浴室外側の面に接続されている。第１アーム部３１の基端部（一端部）３１ａが上枠１１に固定されている。第１アーム部３１は、上枠１１に固定された基端部３１ａから、浴室ドア２０から離れる方向に延在している。第１アーム部３１の他端部３１ｂは、上枠１１に固定された基端部３１ａよりも低い位置にある。第１アーム部３１は、浴室ドア２０の上端（図４において２点鎖線で表す高さ）よりも上方に位置する。
【００２０】
第１アーム部３１の他端部３１ｂに、第２アーム部３２が連続している。第２アーム部３２は、第１アーム部３１から続く一端部（上端部）３２ａから、浴室ドア２０から徐々に離れつつ下方に延在している。タオル保持部４０は一対の第２アーム部３２の他端部（下端部）３２ｂの間で水平に延在し、タオル保持部４０の両端部は一対の第２アーム部３２に接続している。タオル保持部４０には、図３に示すように、タオルＴを掛けることができる。
【００２１】
第１アーム部３１の上下方向の高さｈ１は、第２アーム部３２の上下方向の高さｈ２より小さい。第１アーム部３１の前後方向の長さＤ１は、第２アーム部３２の前後方向の長さＤ２より大きい。
【００２２】
第１アーム部３１の前方から下方へ傾斜する角度θ１は、第２アーム部３２の前方から下方へ傾斜する角度θ２より小さい。角度θ１は、第１アーム部３１の上枠１１に固定された基端部３１ａを通る水平線からの第１アーム部３１の下方への傾斜角度を表す。角度θ２は、第１アーム部３１と第２アーム部３２との境界を通る水平線からの第２アーム部３２の下方への傾斜角度を表す。
【００２３】
図３および図４に示すように、ドア枠における上枠１１の浴室外側の面には、浴室内１００と繋がる通気通路６３が設けられた通気口６０が形成されている。
【００２４】
通気口６０は、浴室ドア２０の左右方向（幅方向）に沿って形成されている。通気口６０は、浴室外２００に開口した第１開口６１と、浴室内１００に開口した第２開口６２と、第１開口６１と第２開口６２とを繋ぐ通気通路６３とを有する。浴室ドア２０が閉じられた状態で、浴室内１００は、通気口６０を通じて、隣接する例えば洗面室２００と通気できる。第１開口６１の近傍には弁体６４が設けられている。空気の非流入時には、自重により弁体６４が第１開口６１を閉塞している。
【００２５】
浴室ドア２０が閉められた状態で浴室内１００に設けられた換気手段のファンが駆動されると、浴室内１００の圧力が浴室外（洗面室）２００の圧力よりも低くなり、通気口６０を通じて、浴室外（洗面室）２００から浴室内１００へと空気が吸い込まれる。このときの浴室内外の圧力差により、弁体６４がその上端部を支点に浴室側１００に振れ、図４において矢印で表すように、浴室外（洗面室）２００側の空気は、第１開口６１から通気通路６３に吸い込まれ、その通気通路６３を流れて、第２開口６２から浴室内１００に流入する。
【００２６】
タオルハンガー５０の接続部３０の基端部３１ａは、上枠１１の浴室外側の面において、通気口６０より下方の位置に接続されている。
【００２７】
以上説明した実施形態によれば、タオルハンガー５０は、浴室ドア２０の開閉に際して動かない部分であるドア枠における上枠１１の浴室外側の面に接続されている。タオルハンガー５０は、折れ戸または引き戸である浴室ドア２０が開状態で隠れない。そのため、浴室ドア２０が折れ戸または引き戸であった場合でも、使用者は、浴室利用後に浴室内から、タオルハンガー５０のタオル保持部４０に掛けてあるタオルを取ることができる。
【００２８】
また、上枠１１との接続箇所から前方（浴室ドア２０から離れる方向）に延在する第１アーム部３１によって、第２アーム部３２は浴室ドア２０に接近せず、浴室ドア２０から離されている。したがって、第２アーム部３２に接続されたタオル保持部４０も浴室ドア２０から離れている。このため、タオルハンガー５０自体、およびタオル保持部４０に掛けられたタオルが、浴室ドア２０の開閉を阻害しない。また、タオルが、浴室ドア２０の開閉時に浴室ドア２０に巻き込まれにくい。
【００２９】
一方で、下方に延在する第２アーム部３２によって、上枠１１に対する接続箇所よりも下方にタオル保持部４０を位置させることができるため、背の低い使用者にもタオルが取りやすい。
【００３０】
第１アーム部３１の前後方向の長さＤ１が短すぎたり、第１アーム部３１の上下方向の高さｈ１が大きすぎると、タオル保持部４０が浴室ドア２０に接近しすぎる場合がある。また、第２アーム部３２の上下方向の高さｈ２が小さすぎたり、第２アーム部３２の前後方向の長さＤ２が長すぎると、タオル保持部４０の位置が高くなりすぎる場合がある。
【００３１】
本実施形態によれば、第１アーム部３１の上下方向の高さｈ１は、第２アーム部３２の上下方向の高さｈ２より小さく、第１アーム部３１の前後方向の長さＤ１は、第２アーム部３２の前後方向の長さＤ２より大きい。そのため、タオルハンガー５０が浴室ドア２０の開閉の阻害となってしまうことを抑制しつつ、背の低い使用者にもタオルが取りやすい。
【００３２】
また、第１アーム部３１の前方から下方へ傾斜する角度θ１が大きすぎると、タオル保持部４０が浴室ドア２０に接近しすぎる場合がある。また、第２アーム部３２の前方から下方へ傾斜する角度θ２が小さすぎると、タオル保持部４０の位置が高くなりすぎる場合がある。
【００３３】
本実施形態によれば、第１アーム部３１の前方から下方へ傾斜する角度θ１は、第２アーム部３２の前方から下方へ傾斜する角度θ２より小さいため、タオルハンガー５０が浴室ドア２０の開閉の阻害となってしまうことを抑制しつつ、背の低い使用者にもタオルが取りやすい。
【００３４】
また、第１アーム部３１は浴室ドア２０の上端よりも上方に位置するため、タオル保持部４０が浴室ドア２０に接近しすぎず、タオル保持部４０に掛けられたタオルが浴室ドア２０の開閉を阻害しない。または、第１アーム部３１は上枠１１から水平に延在していてもよい。
【００３５】
また、タオルハンガー５０の接続部３０の基端部３１ａは、上枠１１の浴室外側の面において、通気口６０より下方の位置に接続されているため、タオルハンガー５０に掛けられたタオルは通気口６０の浴室外側の面を覆わず、換気を阻害しない。
【００３６】
タオル保持部４０の左右方向の長さを長くすると、より幅の広いタオルや、より多くの枚数のタオルをタオル保持部４０に掛けることが可能になる。
【００３７】
一方で、図１に示す例では、タオルハンガー５０は、２枚の障子２１ａ、２１ｂのうちのヒンジ部２２と軸支部２４（図２に示す）との間に配置された障子２１ｂに対向する領域に設けられている。タオルハンガー５０は、使用者が出入りする側の障子２１ａに対向する領域には設けられていないため、タオルハンガー５０およびタオルハンガー５０に掛けられたタオルが、浴室内に出入りする使用者の邪魔になりにくい。
【００３８】
引き戸である浴室ドア２０の場合には、戸袋側にタオルハンガー５０を設けると（戸先側にはタオルハンガー５０を設けない）、タオルハンガー５０およびタオルハンガー５０に掛けられたタオルは、浴室内に出入りする使用者の邪魔になりにくい。
【００３９】
以上、具体例を参照しつつ本発明の実施形態について説明した。しかし、本発明は、それらに限定されるものではなく、本発明の技術的思想に基づいて種々の変形が可能である。
【符号の説明】
【００４０】
１…タオルハンガー付き建具、１１…上枠、２０…浴室ドア、３０…接続部、３１…第１アーム部、３２…第２アーム部、４０…タオル保持部、５０…タオルハンガー、６０…通気口
【図１】
2020110346.tif 000003
【図２】
2020110346.tif 000004
【図３】
2020110346.tif 000005
【図４】
2020110346.tif 000006